(57)【要約】【課題】家畜排泄物の貯留槽用に適したシート、同シート用に適した樹脂組成物および家畜排泄物貯留槽を提供すること。【解決手段】エチレン−酢酸ビニル共重合体を主たる成分とする樹脂から得られる家畜排泄物貯留槽用シートが提供される。該樹脂が、フェノール系安定剤、リン系安定剤および有機イオウ系安定剤から選ばれた少なくとも１種の耐熱安定剤、耐光安定剤、紫外線吸収剤およびカーボンブラックから選ばれた少なくとも１種を含んでいる樹脂組成物は、該シートに適している。さらに凹地もしくは凹状構築物の少なくとも底面に上記家畜排泄物用貯留槽用シートを施工してなる家畜排泄物用貯留槽が提供される。【選択図】　　なし【特許請求の範囲】
【請求項１】
エチレン−酢酸ビニル共重合体を主たる成分とする樹脂から得られる家畜排泄物用貯留槽用シート。
【請求項２】
前記樹脂が、さらにフェノール系安定剤、リン系安定剤および有機イオウ系安定剤から選ばれた少なくとも１種の耐熱安定剤を含む樹脂組成物であることを特徴とする請求項１に記載の家畜排泄物用貯留槽用シート。
【請求項３】
前記樹脂が、さらに耐光安定剤を含む樹脂組成物であることを特徴とする請求項１または２に記載の家畜排泄物用貯留槽用シート。
【請求項４】
前記耐光安定剤が、ヒンダードアミン耐光安定剤であることを特徴とする請求項３に記載の家畜排泄物用貯留槽用シート。
【請求項５】
前記耐光安定剤が、ヒンダードアミン耐光安定剤および耐酸性ヒンダードアミン耐光安定剤であることを特徴とする請求項４に記載の家畜排泄物用貯留槽用シート。
【請求項６】
前記樹脂が、さらに紫外線吸収剤を含む樹脂組成物であることを特徴とする請求項１〜５のいずれかに記載の家畜排泄物用貯留槽用シート。
【請求項７】
前記樹脂が、さらにカーボンブラックを含む樹脂組成物であることを特徴とする請求項１〜６のいずれかに記載の家畜排泄物用貯留槽用シート。
【請求項８】
前記エチレン−酢酸ビニル共重合体が、酢酸ビニル含量が５〜３０モル％、メルトフローレート（ＭＦＲ）が０．３〜２．０ｇ／１０分であるエチレン−酢酸ビニル共重合体であることを特徴とする請求項１〜７のいずれかに記載の家畜排泄物用貯留槽用シート。
【請求項９】
前記エチレン−酢酸ビニル共重合体を主たる成分として含む樹脂が、さらに密度０．９１５〜９２５ｇ／ｃｍ３の高圧法低密度ポリエチレンおよび密度０．９００〜０．９３０ｇ／ｃｍ３の直鎖状低密度ポリエチレン（ＬＬＤＰＥ）から選ばれたポリエチレンを含むことを特徴とする請求項１〜８に記載の家畜排泄物用貯留槽用シート。
【請求項１０】
酢酸ビニル含量が５〜３０モル％、メルトフローレート（ＭＦＲ）が０．３〜２．０ｇ／１０分であるエチレン−酢酸ビニル共重合体を主たる成分として含む樹脂と、フェノール系安定剤、リン系安定剤および有機イオウ系安定剤から選ばれた少なくとも１種の耐熱安定剤と、耐光安定剤と、紫外線吸収剤とを含む家畜排泄物用貯留槽用シートに適した樹脂組成物。
【請求項１１】
前記耐光安定剤が、ヒンダードアミン耐光安定剤であることを特徴とする請求項１０に記載の樹脂組成物。
【請求項１２】
さらにカーボンブラックを含むことを特徴とする請求項１０または１１に記載の樹脂組成物。
【請求項１３】
凹地もしくは凹状構築物の少なくとも底面に請求項１〜９のいずれかに記載された家畜排泄物用貯留槽用シートを施工してなる家畜排泄物用貯留槽。
【請求項１４】
前記家畜排泄物用貯留槽用シートが、複数枚のシートを熱融着させて形成されていることを特徴とする請求項１３に記載の家畜排泄物用貯留槽。
【請求項１５】
前記家畜排泄物用貯留槽用シートの底面部に液汁排出用の開口部が形成されていることを特徴とする請求項１３または１４に記載の家畜排泄物用貯留槽。
【請求項１６】
前記開口部に管状物が取り付けられていることを特徴とする請求項１５に記載の家畜排泄物用貯留槽。
【発明の詳細な説明】
【０００１】
【発明の属する技術分野】
本発明は、家畜排泄物の貯留槽用に適した樹脂製シートに関する。さらに詳しくは、エチレン−酢酸ビニル共重合体を主たる成分として含む樹脂組成物からなる家畜排泄物の貯留槽用に適したシートに関する。さらに本発明は、エチレン−酢酸ビニル共重合体を主たる成分として含む家畜排泄物の貯留槽用シートに適した樹脂組成物に関する。
【０００２】
【従来の技術】
畜産に伴う家畜の排泄物は、大規模処理施設では堆肥として利用することが行われているが、大部分は家畜の排泄物の保管は野積みや素掘りといった方法で行われている。そのため、家畜排泄物の河川への流出や地下水への浸透による水質への影響が懸念されている。
【０００３】
大規模処理施設では、通常コンクリ−ト貯留槽が使用されているが、比較的小規模な家畜の排泄物の貯留用として、利用しうる確立された簡便な施設はまだないのが現状である。最近になって、地面を掘り下げるか、地面に土を盛ってできた凹地の底面にシートを設置した形態の堆積場が、比較的小規模な家畜の排泄物の貯留用として注目されるようになってきた。
【０００４】
土木用防水、止水又は貯水用シートとして軟質塩化ビニルやゴムシートが知られているが、本発明者らは、家畜の排泄物の貯留用には単に防水性のあるシートとして知られているものを適用すれば足りるものではないことも見出した。
本発明者らは、上記のような比較的小規模な家畜排泄物の貯留用のシート求められる特性を検討し、それに特に適したシートの開発を進めて、本発明に到達したものである。
【０００５】
【発明が解決しようとする課題】
本発明者らは、家畜排泄物の堆積場の底面に設置するシートは、地面の凹凸や、小石などの抵抗があっても破損することなく施工できる柔軟性を有していることが必要であり、さらに家畜の排泄物には大量の水分が含まれているので、本発明に使用される樹脂からなるシート状物が、水に対する不浸透性を有していることが要求され、加えて畜産の環境および家畜排泄物の特性から、種々の特性が求めらることを見出した。
【０００６】
このような家畜排泄物の貯留用のシートには、畜産が戸外で行われることから、季節および昼夜の温度差により、幅広い使用可能温度範囲が要求される。たとえば、北海道の冬の極寒条件では、それに耐える耐寒性が要求される。
【０００７】
また家畜排泄用貯留槽が一旦築造された後で、衝撃で裂けたり、突き刺しで穴があいたり、引き裂きで裂けたりするとその修復には多大の労力と費用を要することとなるので、シート状物には優れた衝撃強度、突き刺し強度および引き裂き強度が要求される。
【０００８】
さらに家畜の排泄物の成分によってシート状物が、劣化したり変質したりしない耐ストレスクラッキング性および耐薬品性や、貯留槽を築造する際のシート状物同士の熱融着性も求められる。
【０００９】
さらに、シート状物から可塑剤などの添加物が溶出して環境を汚染するおそれがない優れた非環境汚染性も求められる。
【００１０】
本発明者らは、家畜の排泄物の貯留用に求められるこれら特性を満たすシートの開発を鋭意進めた結果、本発明に到達した。
【００１１】
本発明は、家畜排泄物の貯留槽用に適したシートを提供するものである。
また本発明は、家畜排泄物用貯留槽に特に適したシート用に適した樹脂組成物を提供するものである。
【００１２】
【課題を解決するための手段】
本発明は、エチレン−酢酸ビニル共重合体を主たる成分として含む樹脂から得られる家畜排泄物用貯留槽用シートを提供する。
【００１３】
前記樹脂が、さらにフェノール系安定剤、リン系安定剤および有機イオウ系安定剤から選ばれた少なくとも１種の耐熱安定剤を含む樹脂組成物である前記の家畜排泄物用貯留槽用シートは、本発明の家畜排泄物用貯留槽用シートの好ましい態様である。
【００１４】
前記した樹脂が、さらに耐光安定剤を含む樹脂組成物である前記の家畜排泄物用貯留槽用シートは、本発明の家畜排泄物用貯留槽用シートの好ましい態様である。
【００１５】
前記耐光安定剤が、ヒンダードアミン耐光安定剤である前記の家畜排泄物用貯留槽用シートは、本発明の家畜排泄物用貯留槽用シートの好ましい態様である。
【００１６】
前記耐光安定剤が、ヒンダードアミン耐光安定剤および耐酸性ヒンダードアミン耐光安定剤である前記の家畜排泄物用貯留槽用シートは、本発明の家畜排泄物用貯留槽用シートの好ましい態様である。
【００１７】
前記した樹脂が、さらに紫外線吸収剤を含む樹脂組成物である前記の家畜排泄物用貯留槽用シートは、本発明の家畜排泄物用貯留槽用シートの好ましい態様である。
【００１８】
前記した樹脂が、さらにカーボンブラックを含む樹脂組成物である前記の家畜排泄物用貯留槽用シートは、本発明の家畜排泄物用貯留槽用シートの好ましい態様である。
【００１９】
前記エチレン−酢酸ビニル共重合体が、酢酸ビニル含量が５〜３０モル％、メルトフローレート（ＭＦＲ）が０．３〜２．０ｇ／１０分であるエチレン−酢酸ビニル共重合体である前記の家畜排泄物用貯留槽用シートは、本発明の家畜排泄物用貯留槽用シートの好ましい態様である。
【００２０】
前記エチレン−酢酸ビニル共重合体を主たる成分として含む樹脂が、さらに密度０．９１５〜０．９２５ｇ／ｃｍ３の高圧法低密度ポリエチレンおよび密度０．９００〜０．９３０ｇ／ｃｍ３の直鎖状低密度ポリエチレン（ＬＬＤＰＥ）から選ばれたポリエチレンを含む樹脂である前記の家畜排泄物用貯留槽用シートは本発明の好ましい態様である。
【００２１】
本発明はまた、酢酸ビニル含量が５〜３０モル％、メルトフローレート（ＭＦＲ）が０．３〜２．０ｇ／１０分であるエチレン−酢酸ビニル共重合体を主たる成分として含む樹脂と、フェノール系安定剤、リン系安定剤および有機イオウ系安定剤から選ばれた少なくとも１種の耐熱安定剤と、耐光安定剤と、紫外線吸収剤とを含む家畜排泄物用貯留槽用シートに適した樹脂組成物を提供する。
【００２２】
前記耐光安定剤が、ヒンダードアミン耐光安定剤である前記の家畜排泄物用貯留槽用シートに適した樹脂組成物は本発明の好ましい態様である。
【００２３】
さらにカーボンブラックを含む前記した樹脂組成物は、本発明の前記の家畜排泄物用貯留槽用シートに適した樹脂組成物の好ましい態様である。
【００２４】
本発明はまた、凹地もしくは凹状構築物の少なくとも底面に請求項１〜９のいずれかに記載された家畜排泄物用貯留槽用シートを施工してなる家畜排泄物用貯留槽を提供する。
【００２５】
前記家畜排泄物用貯留槽用シートが、複数枚のシートを熱融着させて形成されている家畜排泄物用貯留槽は、本発明の好ましい態様である。
【００２６】
前記家畜排泄物用貯留槽用シートの底面部に液汁排出用の開口部が形成されている家畜排泄物用貯留槽も、本発明の好ましい態様である。
【００２７】
前記開口部に管状物が取り付けられている家畜排泄物用貯留槽も本発明の好ましい態様である。
【００２８】
【発明の実施の形態】
本発明は、エチレン−酢酸ビニル共重合体を主たる成分として含む樹脂から得られる家畜排泄物用貯留槽用シートを提供するものである。
【００２９】
エチレン−酢酸ビニル共重合体を主たる成分として含む樹脂が、フェノール系安定剤、リン系安定剤および有機イオウ系安定剤から選ばれた少なくとも１種の耐熱安定剤、耐光安定剤、紫外線吸収剤およびカーボンブラックから選ばれた少なくとも１種を含んでいる樹脂組成物である家畜排泄物用貯留槽用シートは本発明の好ましい態様である。
【００３０】
前記樹脂が、フェノール系安定剤、リン系安定剤および有機イオウ系安定剤から選ばれた少なくとも１種の耐熱安定剤を含む樹脂組成物である前記の家畜排泄物用貯留槽用シートは、本発明の家畜排泄物用貯留槽用シートの好ましい態様である。
【００３１】
本発明のエチレン−酢酸ビニル共重合体としては、酢酸ビニル含量が５〜３０モル％、好ましくは１０〜２５モル％、より好ましくは１２〜２０モル％である共重合体を挙げることができる。エチレン−酢酸ビニル共重合体においては、酢酸ビニル含量が高くなるにつれて柔軟性が増す傾向があるので、目指す柔軟性に応じて酢酸ビニル含量を適宜選択することができる。
【００３２】
本発明のエチレン−酢酸ビニル共重合体のメルトフローレート（ＭＦＲ）（ＡＳＴＭ　Ｄ１２３８に準拠して、温度１９０℃、荷重２．１６ｋｇで測定）は、０．３〜２．０ｇ／１０分、好ましくは０．４〜１．８ｇ／１０分、より好ましくは０．５〜１．５ｇ／１０分であることが望ましい。
【００３３】
エチレン−酢酸ビニル共重合体を主たる成分として含む樹脂とは、エチレン−酢酸ビニル共重合体からなる樹脂であってもいいし、他の樹脂を従たる割合で含有する樹脂組成物であってもよいことを意味する。
【００３４】
本発明のエチレン−酢酸ビニル共重合体に混合してもよい他の樹脂として、ポリオレフィンを挙げることができる。ポリオレフィンとしては、ポリエチレンおよびポリプロピレンを挙げることができるが、ポリエチレンが好ましい。ポリエチレンの好ましい例としてとしては、密度０．９１５〜０．９２５ｇ／ｃｍ３程度の高圧法低密度ポリエチレンや、密度０．９００〜０．９３０ｇ／ｃｍ３、好ましくは０．９１０〜０．９２０ｇ／ｃｍ３程度の直鎖状低密度ポリエチレン（ＬＬＤＰＥ）を挙げることができる。
【００３５】
エチレン−酢酸ビニル共重合体を主たる成分として含む樹脂中、エチレン−酢酸ビニル共重合体は５０質量％超、好ましくは６０質量％以上、より好ましくは７０質量％以上含まれていることが望ましい。
【００３６】
本発明のエチレン−酢酸ビニル共重合体を主たる成分として含む樹脂の比重は、０．９２０〜０．９５０であることが好ましく、比重が比較的小さいことが、シート状物を軽量なものとしており、本発明における家畜の排泄物用貯留槽の築造作業において、持ち運びに有利であるという利点を与えている。
【００３７】
本発明のエチレン−酢酸ビニル共重合体を主たる成分として含む樹脂に配合して使用することができるフェノール系安定剤、リン系安定剤および有機イオウ系安定剤から選ばれた少なくとも一種の耐熱安定剤としては、従来公知の耐熱安定剤の中から適宜選択することができる。
【００３８】
フェノール系安定剤の具体的例としては、２，６−ジ−ｔ−ブチル−４−メチルフェノール、テトラキス［メチレン−３−（３，５−ジ−ｔ−ブチル−４−ヒドロキシフェニル）プロピオネート］メタン、β−（３，５−ジ−ｔ−ブチル−４−ヒドロキシフェニル）プロピオン酸ステアリルエステル、トリス（３，５−ジ−ｔ−ブチル−４−ヒドロキシベンジル）イソシアヌレート、１，３，５−トリメチル−２，４，６−トリス（３，５−ジ−ｔ−ブチル−４−ヒドロキシベンジル）ベンゼン、ｄｌ−α−トコフェロール、トリス（２，６−ジメチル−３−ヒドロキシ−４−ｔ−ブチルベンジル）イソシアヌレート、トリス［（３，５−ジ−ｔ−ブチル−４−ヒドロキシフェニル）プロピオニルオキシエチル］イソシアヌレート、３，９−ビス［１，１−ジメチル−２−｛β−（３−ｔ−ブチル−４−ヒドロキシ−５−メチルフェニル）プロピオニルオキシ｝エチル］−２，４，８，１０−テトラオキサスピロ［５，５］ウンデカンなどを挙げることができるが、中でも２，６−ジ−ｔ−ブチル−４−メチルフェノール、テトラキス［メチレン−３−（３，５−ジ−ｔ−ブチル−４−ヒドロキシフェニル）プロピオネート］メタンを好ましいものとしてあげることができる。
【００３９】
リン系安定剤の具体的例としては、トリオクチルホスファイト、トリラウリルホスファイト、トリデシルホスファイト、オクチル−ジフェニルホスファイト、トリス（２，４−ジ−ｔ−ブチルフェニル）ホスファイト、トリフェニルホスファイト、トリス（ブトキシエチル）ホスファイト、トリス（ノニルフェニル）ホスファイト、ジステアリルペンタエリスリトールジホスファイト、テトラ（トリデシル）−１，１，３−トリス（２−メチル−５−ｔ−ブチル−４−ヒドロキシフェニル）ブタンジホスファイトなどのホスファイト類を挙げることができる。
【００４０】
有機イオウ系安定剤の具体的例としては、ジラウリルチオジプロピオネート、ジステアリルチオジプロピオネートなどのチオプロピオネート類を挙げることができる。
【００４１】
フェノール系安定剤、リン系安定剤または有機イオウ系安定剤は、それぞれからから１種または複数種選んでもよく、フェノール系安定剤、リン系安定剤および有機イオウ系安定剤から選ばれた少なくとも一種の耐熱安定剤が好適に使用される。
【００４２】
耐熱安定剤としてフェノール系安定剤およびリン系安定剤が共存する場合、本発明において特にすぐれた安定剤効果を発揮するので、本発明では好ましい態様である。
【００４３】
本発明のフェノール系安定剤、リン系安定剤および有機イオウ系安定剤から選ばれた少なくとも一種の耐熱安定剤の配合量としては、樹脂成分に対して０．０５〜０．５質量％、好ましくは０．０５〜０．３質量％、より好ましくは０．０７〜０．２質量％程度使用するのが望ましい。
【００４４】
また前記したエチレン−酢酸ビニル共重合体を主たる成分とする樹脂が、さらに耐光安定剤を含む樹脂組成物である前記の家畜排泄物用貯留槽用シートは、本発明の家畜排泄物用貯留槽用シートのより好ましい態様である。
【００４５】
本発明で使用することができる耐光安定剤としては、耐光安定剤として知られている安定剤から適宜選択することができる。好ましい耐光安定剤としては、ヒンダードアミン耐光安定剤を挙げることができる。
【００４６】
ヒンダードアミン耐光安定剤の代表的な例としては、通常ＨＡＬＳとして市販されている耐光安定剤から適宜選択して使用することができる。ピペリジン系ヒンダードアミン、ピペラジン系ヒンダードアミン、ピペラジノン系ヒンダードアミンなどを挙げることができ、具体例としては、２，２，６，６−テトラメチルピペリジン、ビス（２，２，６，６−テトラメチル−４−ピレリジル）セバケート、４−ベンゾイルオキシ−２，２，６，６−テトラメチルピレリジンなどの低分子量タイプや、ポリ［（モルフォリノ−Ｓ−トリアジン−２−，４−ジイル）［２，２，６，６−テトラメチル−４−ピレリジル］イミノ］−ヘキサメチレン［（２，２，６，６−テトラメチル−４−ピレリジル）イミノ］などの高分子量タイプを挙げることができるが、これらに限定されるものではない。
【００４７】
ヒンダードアミン耐光安定剤は１種でも、２種以上を使用してもよい。家畜排泄物が酸性であることから、本発明で用いるヒンダードアミン耐光安定剤には、酸性においてその効果が低下しないいわゆる耐酸性ＨＡＬＳが含まれていることが好ましい。
【００４８】
耐光安定剤としてヒンダードアミン耐光安定剤と耐酸性ヒンダードアミン耐光安定剤を使用する態様は、本発明の家畜排泄物用貯留槽用シートの好ましい態様である。
【００４９】
このような耐酸性ＨＡＬＳとして、たとえば市販されているＰＥＸ　ＵＶＴ−５６マスターバッチ（東京インキ社製）などを利用することができる。
【００５０】
耐光安定剤の配合量としては、樹脂成分に対して０．２〜２．０質量％、好ましくは０．２〜１．５質量％、より好ましくは０．３〜０．７質量％程度使用するのが望ましい。
【００５１】
また前記したエチレン−酢酸ビニル共重合体を主たる成分とする樹脂が、さらに紫外線吸収剤を含む樹脂組成物である前記の家畜排泄物用貯留槽用シートは、本発明の家畜排泄物用貯留槽用シートのより好ましい態様である。
【００５２】
紫外線吸収剤としては、２−ヒドロキシ−４−メトキシ−２’−カルボキシベンゾフェノン、２，２’−ジヒドロキシ−４，４’−ジメトキシベンゾフェノン、５−クロロ−２−ヒドロキシベンゾフェノンなどのベンゾフェノン系紫外線吸収剤、２−（２’−ヒドロキシ−５’−メチルフェノンベンゾトリアゾール、ベンゾトリアゾール誘導体などのベンゾトリアゾール系紫外線吸収剤を挙げることができる。
【００５３】
紫外線吸収剤を使用するとき、紫外線吸収剤の配合量は、樹脂成分に対して０．１〜１．５質量％、好ましくは０．１〜１．０質量％、より好ましくは０．２〜０．５質量％程度使用するのが望ましい。
【００５４】
ヒンダードアミン耐光安定剤と紫外線吸収剤が共存すると、特にすぐれた耐候性効果を示すので、それらが共存する態様は、本発明の好ましい態様である。
【００５５】
エチレン−酢酸ビニル共重合体を主たる成分として含む樹脂には、カーボンブラックが配合されていてもよい。カーボンブラックを配合することにより、耐候性、耐劣化性が向上するので、カーボンブラックを配合したシートは、本発明のシートとして好ましく使用される。
【００５６】
カーボンブラックの好ましいものとして、オイルファーネス法で製造したカーボンブラックを挙げることができるが、これに限定されるものではない。他の従来公知のカーボンブラックで本発明の目的に合致するものは、本発明のカーボンブラックとして使用することができる。
【００５７】
カーボンブラックの配合量としては、樹脂成分１００質量部に対して、好ましくは１〜５質量部、より好ましくは１〜３質量部、さらに好ましくは１．５〜２．５質量部を挙げることができる。
【００５８】
エチレン−酢酸ビニル共重合体を主たる成分として含む樹脂と、フェノール系安定剤、リン系安定剤および有機イオウ系安定剤から選ばれた少なくとも１種の耐熱安定剤を含む樹脂組成物は、家畜排泄物用貯留槽用シートを得るに適した樹脂組成物である。
【００５９】
エチレン−酢酸ビニル共重合体を主たる成分として含む樹脂と、フェノール系安定剤、リン系安定剤および有機イオウ系安定剤から選ばれた少なくとも１種の耐熱安定剤と、耐光安定剤とを含む樹脂組成物は、家畜排泄物用貯留槽用シートを得るに適した樹脂組成物である。
【００６０】
エチレン−酢酸ビニル共重合体を主たる成分として含む樹脂と、フェノール系安定剤、リン系安定剤および有機イオウ系安定剤から選ばれた少なくとも１種の耐熱安定剤と、耐光安定剤と、紫外線吸収剤を含む樹脂組成物は、家畜排泄物用貯留槽用シートを得るにさらに適した樹脂組成物である。
【００６１】
エチレン−酢酸ビニル共重合体を主たる成分として含む樹脂と、フェノール系安定剤、リン系安定剤および有機イオウ系安定剤から選ばれた少なくとも１種の耐熱安定剤と、耐光安定剤と、紫外線吸収剤と、カーボンブラックとを含む樹脂組成物は、家畜排泄物用貯留槽用シートを得るのにさらにまた適した樹脂組成物である。
【００６２】
エチレン−酢酸ビニル共重合体が、酢酸ビニル含量が５〜３０モル％、メルトフローレート（ＭＦＲ）が０．３〜２．０ｇ／１０分であるエチレン−酢酸ビニル共重合体である上記樹脂組成物は、家畜排泄物用貯留槽用シートを得るのに適した樹脂組成物である。
【００６３】
これらの樹脂組成物から得られるシートは、家畜排泄物用貯留槽用に特に適したシートである。
【００６４】
上記した樹脂組成物において、カーボンブラックを他の公知の顔料に変更したり、公知の他の顔料とともに使用してもよい。
【００６５】
エチレン−酢酸ビニル共重合体を主たる成分として含む上記樹脂には、他に必要に応じて充填剤、帯電防止剤など適宜公知の添加剤を加えることができる。
【００６６】
本発明の樹脂組成物からシート状物を得る方法としては、適宜公知の成形方法を採用することができるが、好ましいものとしてインフレーション成形法、キャスト成形法などの方法を挙げることができる。本発明のシート状物の厚みは、適宜選択しうるが、通常０．２〜３ｍｍ程度が好ましい。
【００６７】
地面を掘り下げるか、地面に土を盛ってできた凹地の底面にシートを設置した形態の堆積場が、比較的小規模な家畜の排泄物の貯留用として期待される。このような堆積場では、底面にシートを設置したのち床土を入れた上に、家畜の排泄物を堆積する。家畜の排泄物には大量の水分が含まれているので、堆積場底部からパイプなどを用いて排汁を排出し、排汁溜に導くよう設備することが好ましい。
【００６８】
本発明のシートは、柔軟性を有するので、このような堆積場の底面シートとして用いた場合、地面の凹凸や、小石などの抵抗があっても破損することなく施工できるし、施工後も長期間使用することができるという特徴を示す。
【００６９】
家畜排泄物には大量の水分が含まれているので、本発明に使用される樹脂からなるシート状物が、水に対する不浸透性を有していることが要求される。さらに家畜排泄物にはの水分を含むだけでなく、排泄物に含まれる成分がシート素材を劣化させるため、これら成分に対する耐性も求めらるが、本発明のシートは劣化したり変質したりしない良好な耐ストレスクラッキング性および耐薬品性を示す。
【００７０】
畜産が戸外で行われることから、季節および昼夜の温度差により、幅広い使用可能温度範囲が要求される。たとえば、北海道の冬の極寒条件や、温暖地の真夏の高温条件といった極端な気候条件にも耐える必要があるため、耐寒性を含め幅広い気候順応性が要求される。本発明のシートは、良好な耐寒性および幅広い気候順応性を有している。
【００７１】
家畜排泄用貯留槽が一旦築造された後で、衝撃で裂けたり、突き刺しで穴があいたり、引き裂きで裂けたりするとその修復には多大の労力と費用を要することとなるので、シート状物には優れた衝撃強度、突き刺し強度および引き裂き強度が要求されるが、本発明のシートは良好な強度特性を示す。
【００７２】
貯留槽の築造にあたっては、シート状物同士を熱融着するので、熱融着性も求められるが、本発明のシートは、施工現場でシートとシートをドライヤーで加熱して接合することができるという良好な熱融着性を示す。
【００７３】
さらに、シート状物から可塑剤などの添加物が溶出して環境を汚染するおそれがない優れた非環境汚染性も求められる。
【００７４】
本発明の樹脂からなるシート状物を用いて築造した家畜排泄物貯留用の堆積場は、地面を掘り下げるか、地面に土を盛ってできた凹地の底面にシートを施工することにより簡便に築造することができる。貯留槽の形や大きさは、必要に応じてまた地形に合わせて適宜選択することができる。広い敷地にシートを施工するために、通常現場でシート状物を熱融着法などの方法によって接合する方法が採用される。熱融着方法は、ハンドシールなどのドライヤーを使用して現場で熱融着するのが効率的である。
【００７５】
以下に家畜の排泄物用の堆積場を、本発明のエチレン−酢酸ビニル共重合体を用いて築造した具体例を示す。
エチレン−酢酸ビニル共重合体として、酢酸ビニル含量１５モル％、密度０．９４ｇ／ｃｍ３、ＭＦＲ０．５ｇ／１０分のＮＵＣ８４５３（日本ユニカー社製）１００質量部に、カーボンブラックマスターバッチ　ＰＥＸ　ＢＬＡＣＫ　４０Ｓ（東京インキ社製）５質量部、酸化防止剤マスターバッチＡＯ−１３（出光石油化学社製）２質量部、耐酸性耐光安定剤マスターバッチＰＥＸ　ＵＴ　５６（東京インキ社製）３質量部および耐光安定剤マスターバッチＰＥＸ　ＵＶＣ　８９（東京インキ社製）２質量部を添加して、混合して得られた樹脂組成物を用いて、インフレーション成形を行い、厚さ０．８ｍｍのシートを得た。得られたシートを、約２７００ｃｍ×約１０００ｃｍの広さ、周囲を盛土した深さ５０ｃｍの敷地に施工した。シートとシートの接合は、ドライヤーで加熱して接合した。施工および接合は容易に行われ、施工時に突起物などによる穴あきや破れはなかった。シートには柔軟性があるので盛土の角部における施工は容易に短期間に行われた。シートの上に床土として山砂および火山灰を敷き、その上に乳牛の糞尿を堆積した。
【００７６】
本発明の家畜排泄物用貯留槽について図を用いてより具体的に説明する。図１は、上記したような周囲を盛土した凹地１に本発明の家畜排泄物用貯留槽用シート２を施工して得られた家畜排泄物用貯留槽を示す断面図である。図１の家畜排泄物用貯留槽には、家畜排泄物３が堆積貯留されている。また、図２においては、凹地１に本発明の家畜排泄物用貯留槽用シート２を施工する際に家畜排泄物用貯留槽用シートが２枚重なり合わせた部分４において熱融着して、広い面積の施工を可能とする態様が示されている。
【００７７】
家畜の排泄物には、多量の水分が含まれているので、本発明で築造される貯留槽に、排汁を排出する構造を設けた態様は本発明の好ましい態様である。排汁を排出する構造としては、貯留槽の底部に近い位置に、排汁排出口を設け、そこからパイプなどを経て排汁溜めに送るような構造を挙げることができる。
なお、貯留槽に、排汁を排出する構造が設けられている場合、排汁の排出を助けるために、貯留槽底部に排出方向に向かって傾斜が付けられていることが好ましい。適切に排汁排出が行われると、家畜の排泄物貯留槽で良質の堆肥を得ることができる。
【００７８】
図３において、施工された家畜排泄物貯留槽用シートの底面部に開口部５が設けられており、開口部５には管状物６が取り付けられている。家畜排泄物の液汁は管状物６を通って排出される。図３では排出された液汁を受ける液汁溜め７が用意されている。
【００７９】
本発明の家畜排泄物貯留槽は、コンクリートなどで構成された構築物の内面、少なくとも底面を本発明の家畜排泄物貯留槽用シートにて施工することによって形成させることも可能である。このような態様を図４に示した。図４では、コンクリート製構築物８の底面および側面が家畜排泄物貯留槽用シート２によって覆われた構造となって家畜排泄物貯留槽を構成している。
【００８０】
【発明の効果】
本発明のエチレン−酢酸ビニル共重合体を主たる成分として含む樹脂から得られる樹脂組成物は、家畜排泄物貯留用シートを得るのに好適な樹脂組成物である。
【００８１】
また本発明により、家畜排泄物用貯留槽に特に適した樹脂からなるシートが提供される。
本発明のエチレン−酢酸ビニル共重合体を主たる成分として含む樹脂から得られる樹脂組成物からなるシート状物は、家畜排泄物用貯留槽用シートに求められる多くの要求を満たしうる特に家畜排泄物用貯留槽用に適したシートである。
本発明によれば、凹地もしくは凹状構築物の少なくとも底面に家畜排泄物用貯留槽用シートを施工してなる家畜排泄物用貯留槽が提供される。
本発明の家畜排泄物用貯留槽は、簡便に貯留槽を設置することができるので、小規模家畜排泄物用貯留槽にも適するものである。
【図面の簡単な説明】
【図１】凹地に構築された本発明の家畜排泄物貯留槽を示す断面図である。
【図２】凹地に構築され、複数枚のシートで施行された家畜排泄物貯留槽を示す断面図である。
【図３】凹地に構築された家畜排泄物貯留槽に、液汁排出機構が設けられた状態を示す断面図である。
【図４】コンクリート製構築物を用いた本発明の家畜排泄物貯留槽を示す断面図である。
【符号の説明】
１．凹地
２．家畜排泄物貯留槽用シート
３．家畜排泄物
４．融着部
５．開口部
６．管状物
７．コンクリート製構築物
８．液汁溜め
【図１】
2004121215.tif 000002
【図２】
2004121215.tif 000003
【図３】
2004121215.tif 000004
【図４】
2004121215.tif 000005